(57)【要約】  ラップされたコンテナは、コンテナ（１）及びラッパーに付されたラベル（２）を有する。ラベル（２）は少なくとも１つの脆弱ライン（３）を含む。ラベル（２）は、高タック接続によりラッパーに付着され、低タック接続によりコンテナ（１）にあまり強くなく付着されるので、ラッパーの除去により、ラベル（２）は、少なくとも１つの脆弱ライン（３）に沿って少なくとも部分的に破断され、完全にコンテナ（１）から除去される。【選択図】図１
2010527854.tif 000002
【特許請求の範囲】
【請求項１】
コンテナ（１）及びラッパーに付されたラベル（２）を有するラップされたコンテナであって、
前記ラベル（２）は少なくとも１つの脆弱ライン（３）を含み、該ラベル（２）は高タック接続により前記ラッパーに付着され、該ラベル（２）は低タック接続により前記コンテナ（１）に付着されて、該ラッパーの除去時に、該ラベル（２）は前記少なくとも１つの脆弱ライン（３）に沿って少なくとも部分的に破断され、該コンテナ（１）から完全に除去されることを特徴とするラップされたコンテナ。
【請求項２】
前記ラベル（２）と前記コンテナ（１）との間の前記低タック接続は、低タック接着剤により形成されることを特徴とする請求項１に記載のラップされたコンテナ。
【請求項３】
前記ラベル（２）と前記ラッパーとの間の前記高タック接続は、高タック接着剤により形成されることを特徴とする前記請求項のいずれか１項に記載のラップされたコンテナ。
【請求項４】
前記少なくとも１つの脆弱ライン（３）は前記ラベル（２）の縁部（２０）から延び、該少なくとも１つの脆弱ライン（３）は該ラベル（２）のその縁部（２０）と鋭角（α）を形成することを特徴とする前記請求項のいずれか１項に記載のラップされたコンテナ。
【請求項５】
前記細長いラベル（２）を前記ラッパーに付着させるための高タック接着スポット（４）は、前記脆弱ライン（３）間に配置されることを特徴とする請求項４に記載のラップされたコンテナ。
【請求項６】
前記細長いラベル（２）を前記コンテナに付着させるための低タック接着スポット（５）は、該コンテナ（１）に面する該ラベル（２）の側に配置されて、少なくとも１つの脆弱ラインが高タック接着スポット（４）と低タック接着スポット（５）との間に配置されるようにすることを特徴とする請求項５に記載のラップされたコンテナ。
【請求項７】
前記少なくとも１つの脆弱ライン（３）は、予め穿孔されたラインであることを特徴とする前記請求項のいずれか１項に記載のラップされたコンテナ。
【請求項８】
タバコのパック（１）であることを特徴とする前記請求項のいずれか１項に記載のラップされたコンテナ。
【請求項９】
前記ラベル（２）は納税印紙であることを特徴とする請求項８に記載のラップされたコンテナ。
【請求項１０】
ラップされたコンテナ内に消費財を包装するための方法であって、
低タック接着剤を、少なくとも１つの脆弱ライン（３）を有する、前記コンテナ（１）に面するラベル（２）の側に塗布し、
前記ラベル（２）を前記コンテナ（１）の表面に接着し、
高タック接着剤を、ラッパーに面する前記ラベル（２）の側に塗布し、
前記コンテナ（１）の周りに前記ラッパーをラップし、前記ラベル（２）を該ラッパーに接着する、
ステップを含むことを特徴とする方法。
【発明の詳細な説明】
【技術分野】
【０００１】
本発明は、ラベルがコンテナ及びラッパーに付された、ラップされたコンテナに関する。好ましい実施形態においては、ラップされたコンテナは、納税印紙が付されたタバコのパックといった喫煙用物品のためのコンテナである。
【背景技術】
【０００２】
多数の国において、喫煙用物品のためのパック又は他の喫煙用物品のためのコンテナには、納税印紙のラベルを付して、必要な税が支払われたことを示さなければならない。さらに、納税印紙は、典型的には、喫煙用物品のコンテナが消費者により開けられたときに必ず破壊されるように適用されなければならない。この要求を満たすために、通常のタバコのヒンジ蓋のパック上の納税印紙は、一般に、パックの側面の１つの上にある斜めの蓋のラインの上に付着されており、消費者が蓋を後方にピボット運動させて、パック内に保持されるタバコを取ろうとしたときに、納税印紙が破られるようになっている。
【０００３】
例えば、スライドアンドシェルコンテナのような、こうしたヒンジをもたないコンテナにおいては、異なる解決法が与えられている。特許文献１は、納税印紙が蓋にだけ適用された、ラップされたタバコのパックを開示する。納税印紙は、予め穿孔されたラインといった脆弱ラインにより分離される２つの部分を有する。納税印紙の一方の部分は、コンテナに付着されており、ラッパーには付着されていないか又はあまり強くなく付着されているが、納税印紙の他方の部分は、ラッパーに付着されており、コンテナには付着されていないか又はあまり強くなく付着されている。その結果ラッパーを除去すると、納税印紙の２つの部分は、少なくとも予め穿孔されたラインに沿って少なくとも部分的に分離される。
【０００４】
したがって、少なくとも、コンテナに付着された納税印紙のそれぞれの部分は、ラッパーが除去された後も、コンテナに付着されたまま残る。ラベルすなわち納税印紙をコンテナに適用する他の方法と同様に、コンテナ上に残るラベルの部分は、例えば印刷又は装飾要素のために、他のことに用いることができるコンテナの外側の空間を必要とする。
【先行技術文献】
【特許文献】
【０００５】
【特許文献１】国際特許出願ＷＯ２００６／０９７８５０号明細書
【発明の概要】
【発明が解決しようとする課題】
【０００６】
本発明は、ここで、新規なラップされたコンテナと、ラップされたコンテナからラッパーが除去されたときにラベルの完全な除去を可能にする、ラップされたコンテナに消費者物品を包装するための新規な方法とを提供する。
【課題を解決するための手段】
【０００７】
本発明によれば、コンテナ及びラッパーに付されたラベルを有するラップされたコンテナが提供され、ラベルは、少なくとも１つの脆弱ラインを有する。ラベルは、高タック接続によりラッパーに付着され、低タック接続によりコンテナに付着されるので、ラッパーを除去したとき、ラベルが、少なくとも１つの脆弱ラインに沿って少なくとも部分的に破断され、コンテナから完全に除去される。
【０００８】
この文脈において、「低タック（ｌｏｗ  ｔａｃｋ）」という用語は、ラベルとコンテナとの間の接続の粘着性（ｔａｃｋｉｎｅｓｓ）を説明するのに用いられる。「高タック（ｈｉｇｈ  ｔａｃｋ）」という用語は、ラベルとラッパーとの間の接続の粘着性を説明するのに用いられる。「低タック」接続及び「高タック」接続の強さは、ラッパーが除去されたときに、「高タック」接続は本質的にそのまま残るが、低タック接続は壊れるようなものである。「低タック」接続の強さは、ラッパーの除去により、ラベルとコンテナとの間の「低タック」接続が壊れる前に、ラベル上の少なくとも１つの脆弱ラインを破断するのに十分な剪断力が生成されるようなものである。
【０００９】
本発明によるラップされたコンテナは、ユーザがラッパーをラップされたコンテナから除去した後は、納税印紙が少なくとも部分的に破壊され、再使用できなくなるという要求を満たす。同時に、ラッパーの完全な除去時に、納税印紙もまた、コンテナから完全に除去される。これにより、コンテナのすべての印刷物又は他の装飾要素が完全に見えるようになる。
【００１０】
本発明によるラップされたコンテナの１つの実施形態においては、ラベルは、接着剤によりコンテナ及びラッパーに付着されており、ラベルをコンテナに付着させるための接着剤は、例えば、Ｈｅｎｋｅｌ＆Ｃｉｅ  ＡＧから入手可能なＴＯＢＡＣＯＬＬ  ＺＤ  ４４０４−０１といった水性ポリエチレン接着剤のような低タック接着剤である。低タック接着剤は、コンテナに対してよりもラベルに強く付着され、一旦接続が壊れると、低タック接着剤が本質的に完全にラベル上に残り、コンテナには本質的に接着剤がないままになることが好ましい。このことは、例えば、コンテナ及びラベルの表面構造体の選択により実現することができる。コンテナに対するラベルの低接着を与える低タック接着剤の使用は、ラッパーの除去時に、ラベルがコンテナから完全に除去されることを保証する。ラベルをラッパーに付着させるための接着剤は、標準的なホットメルト接着剤のような高タック接着剤である。ホットメルト接着剤は、永久接続を形成するために、コンテナの製造において一般的に用いられている。好適な低タック接着剤及び高タック接着剤は、当技術分野において周知である。
【００１１】
本発明によるラップされたコンテナの好ましい実施形態においては、ラベルは、ラベル上に配置された２から１０までの脆弱ライン、より好ましくは４から６までの脆弱ラインを含む。
【００１２】
少なくとも１つの脆弱ラインは、ラベルの少なくとも１つの縁部に沿って配置されることが好ましい。それぞれの脆弱ラインは、ラベルの１つの縁部から延びて、ラベルのその縁部と角度を形成することができる。この角度は、５度から９０度までの間であることが好ましく、より好ましくは３０度から６０度までの間であり、最も好ましくは約４５度である。ラベルが１つより多い脆弱ラインを与える、本発明によるラップされたコンテナの実施形態においては、脆弱ラインは平行であることが好ましい。
【００１３】
本発明のラップされたコンテナの代替的な実施形態においては、少なくとも１つの脆弱ラインは、ラベルの２つの縁部と交差する。さらに別の代替的な実施形態においては、少なくとも１つの脆弱ラインは、ラベルのどの縁部とも交差しないが、完全にラベル内に配置される。
【００１４】
少なくとも１つの脆弱ラインは、直線、波線、ジグザグ線、点線、破線、又は文字或いはアイコン形態のようなあらゆる他の好適な形態とすることができる。ラベルが１つより多い脆弱ラインを与える、本発明によるラップされたコンテナの実施形態においては、各々の脆弱ラインは、異なる形態を有することができる。
【００１５】
少なくとも１つの脆弱ラインをラベル上に備えることにより、ラッパーをラップされたコンテナから除去したときに、ラベルの破壊が容易になる。
【００１６】
本発明によるラップされたコンテナは、細長いラベルを、ラッパーに面するラベルの側に配置された、ラッパーに付着させるための接着スポットを有することが好ましい。接着スポットは、ラベルの脆弱ライン間に配置されることが好ましい。細長いラベルをコンテナに付着させるための付加的な低タック接着スポットが、コンテナに面するラベルの側に配置されることが特に好ましい。ラッパーに面するラベルの側にある高タック接着スポットは、コンテナに面するラベルの側にある低タック接着スポットの上に重ならないことが好ましい。これらの接着スポットの特に有利な配置は、少なくとも１つの脆弱ラインが、ラッパーに面するラベルの側にある接着スポットと、コンテナに面するラベルの側にある接着スポットとの間に配置されるものである。
【００１７】
より具体的には、少なくとも１つの脆弱ラインは、ラベルの各々の側で、２つの接着スポット間に非対称的に配置されることが好ましい。少なくとも１つの脆弱ラインのこうした配置は、ラッパーが除去されたときに、高剪断力を脆弱ラインに生成する。このことは、ラッパーが除去されたときのラベルの破壊を容易にする。
【００１８】
本発明によるラップされたコンテナにおいては、少なくとも１つの脆弱ラインは予め穿孔されたラインであることが好ましい。或いは、少なくとも１つの脆弱ラインは、折れ目ライン又はスコアリングラインであってもよい。
【００１９】
本発明によるラップされたコンテナは、具体的には、タバコのような喫煙用物品のパックである。コンテナは、スライドアンドシェル・パックであり、ラベルは納税印紙であることが好ましい。
【００２０】
本発明のさらに別の態様は、コンテナをラップするための方法に関し、この方法は、低タック接着剤を、コンテナに面するラベルの側に塗布するステップを含み、ラベルは少なくとも１つの脆弱ラインを有しており、ラベルをコンテナの表面に接着し、高タック接着剤を、ラッパーに面するラベルの側に塗布し、コンテナの周りにラッパーをラップし、ラベルをラッパーに接着する、ステップを含む。
【００２１】
本発明のこの方法は、ラップされたコンテナに喫煙用物品を包装するための単純で信頼できる方法を提供する。
【図面の簡単な説明】
【００２２】
【図１】納税印紙が付着された本発明によるラップされたコンテナの実施形態の背面斜視図を示す。
【発明を実施するための形態】
【００２３】
本発明のさらに別の利点は、本発明によるラップされたコンテナの例示的な実施形態の以下の説明により明らかになる。
【００２４】
図１は、ラップされたタバコパック１の形態の、本発明によるラップされたコンテナの実施形態の背面斜視図を示す。タバコパック１は、基部１０と蓋１１とを含む。納税印紙２の形態のラベルは蓋に付着される。例えば、ポリプロピレンから作られた透明のラッパーは、図示されていない。透明のラッパーは、当技術分野において周知のように、タバコパック１の周りに緊密にラップされている。ラッパーは、典型的には、ラッパーを開けるのを容易にする開封テープ（図示せず）を含む。
【００２５】
図１に示すように、納税印紙２は、細長い矩形形状を有する。４つの脆弱ライン３は予め穿孔されたライン３の形態で与えられて、納税印紙２の下縁部から延びており、各々、納税印紙２の縁部２０と鋭角αを形成する。
【００２６】
納税印紙２をラッパーに付着させる高タック接着スポット４は、透明ラッパーに面する納税印紙２の最も外側に配置される。これらの接着スポットを取得するために、ホットメルト接着剤が、納税印紙２上のそれぞれの位置に適用される。ホットメルト接着剤は、高タック接着力を与えて、ラッパーがコンテナから除去されると、納税印紙２はラッパーと共に除去されるようになっている。図からわかるように、高タック接着スポット４は、予め穿孔されたライン３の間に配置される。
【００２７】
納税印紙２をタバコパック１に付着させるための付加的な低タック接着スポット５は、タバコパック１に面する納税印紙２の側に配置される。これらの付加的な低タック接着スポット５を取得するためには、低タック接着が適用され、納税印紙２をタバコパック１から容易にはがすことを可能にする。これらの付加的な低タック接着スポット５は予め穿孔されたライン３の上に配置される。
【００２８】
使用中、ラッパーは、タバコパック１の上部の方向に除去される。したがって、納税印紙２は、少なくとも部分的に予め穿孔されたライン３の少なくとも１つに沿って破断して、納税印紙２を再使用できなくする。納税印紙２をタバコパック１に付着する低タック接着剤は低接着力しか与えないため、タバコパック１からのラッパーの完全な除去は、破断された納税印紙２をタバコパック１から完全に除去する。ラッパーが完全にタバコパック１から除去されてからの、納税印紙２をラッパーから除去するどのような試みも、ラッパーと納税印紙２との間の高タック接着接続のために、納税印紙２のさらなる損傷をもたらして、納税印紙２を別のコンテナに再使用することはできなくなる。
【００２９】
本発明の特定の実施形態はタバコのコンテナ及び納税印紙に関して説明されるが、あらゆる他のコンテナ及びコンテナからラッパーを剥がしたときに、コンテナから完全に除去されるべきあらゆる他のラベルも本発明の範囲内である。例えば、除去されるべきこうした他のラベルは、消費者とのコミュニケーション（ｃｏｎｓｕｍｅｒ  ｃｏｍｍｕｎｉｃａｔｉｏｎ）、オンサート、クーポン、不正開封防止品などを含む。ラベルの破断は、例えば、そのラベルを開いて、消費者とのさらなるコミュニケーションを可能にすることができる。同様に、不正開封防止品であるラベルの少なくとも部分的な破壊は、コンテナが不正開封されたこと、及び、例えば、コンテナ内の商品の新鮮さが疑わしいものであることを消費者又は当局に示す。
【００３０】
上述の特定の実施形態に加えて、代替的な実施形態も十分に考えられる。例えば、接着剤を塗布することができる特定の位置、すなわち接着パターンは、納税印紙の規定の位置又は望ましい位置に応じて、及び、納税印紙の最適化された除去及び破壊に関する機能に応じて異なり得る。接着パターンは、ヒンジ蓋パック又はスライドアンドシェル・パックであろうと、側面開口パック又はあらゆる他のパックであろうと、パックの機能に最も合うように選択される。同じことが少なくとも１つの脆弱ラインの位置及び方向に当てはまる。
【００３１】
タバコのような喫煙用物品を包装するための方法は、納税印紙２の、その面にある少なくとも１つの脆弱ラインがタバコパック１に面する状態で、非永久接着剤を納税印紙２に塗布し、納税印紙２をタバコパック１の表面に接着することにより実行される。このことは、納税印紙適用ユニットにおいて行うことができる。このプロセスの後半で、ホットメルト接着剤が、タバコパック１の周りにラップされるラッパーに面する納税印紙の表面に塗布される。ラッパーは、次いで、タバコパックの周りにラップされて、納税印紙を強力にラッパーに付着させる。このことは、典型的には、ラッピングユニットにおいて行われる。
【符号の説明】
【００３２】
１：コンテナ
２：ラベル
３：脆弱ライン
４：高タック接着スポット
５：低タック接着スポット
１０：基部
１１：蓋
２０：縁部
【図１】
2010527854.tif 000003
【国際調査報告】
2010527854.tif 000004
2010527854.tif 000005